(57)【要約】【課題】１枚の用紙に複数頁分の印刷画像を並べて印刷し、印刷後の用紙を裁断するに当たって、少ない頁数で無駄のない印刷処理を実現する。【解決手段】印刷装置１３と、当該印刷装置１３によって印刷された用紙を裁断する裁断装置１４と、入力される複数頁の文書データに基づく印刷画像を当該印刷画像のサイズよりも大きいサイズの用紙に配置して印刷すべく印刷装置１３を制御するとともに、当該印刷装置１３によって印刷された用紙を印刷画像の配置に応じて裁断すべく裁断装置１４を制御する制御装置１１とを備える。【選択図】図１
2008046936.tif 000002
【特許請求の範囲】
【請求項１】
印刷装置と、
前記印刷装置によって印刷された用紙を裁断する裁断装置と、
入力される複数頁の文書データに基づく印刷画像を当該印刷画像のサイズよりも大きいサイズの用紙に配置して印刷すべく前記印刷装置を制御するとともに、当該印刷装置によって印刷された用紙を前記印刷画像の配置に応じて裁断すべく前記裁断装置を制御する制御装置と
を備えることを特徴とする印刷処理システム。
【請求項２】
前記制御装置は、一定期間内に入力される複数頁の文書データに基づく印刷画像に対して制御を行う
ことを特徴とする請求項１記載の印刷処理システム。
【請求項３】
前記制御装置は、白黒の印刷画像とカラーの印刷画像とを１枚の用紙に混在させない制御を行う
ことを特徴とする請求項１記載の印刷処理システム。
【請求項４】
前記制御装置は、前記裁断装置に対する制御内容を当該裁断装置の作業者に対して出力する
ことを特徴とする請求項１記載の印刷処理システム。
【請求項５】
入力される複数頁の文書データに基づく印刷画像を当該印刷画像のサイズよりも大きいサイズの用紙に配置して印刷すべく印刷装置を制御する第１制御ステップと、
前記印刷装置によって印刷された用紙を前記印刷画像の配置に応じて裁断すべく裁断装置を制御する第２制御ステップと
の各処理をコンピュータに実行させることを特徴とする印刷処理プログラム。
【発明の詳細な説明】
【技術分野】
【０００１】
本発明は、印刷処理システムおよび印刷処理プログラムに関する。
【背景技術】
【０００２】
印刷対象の文書データを１つのジョブとして印刷装置に送信し、当該印刷装置で印刷出力する印刷処理システムにおいて、例えば、Ａ４サイズの印刷画像の２頁分をＡ３サイズの用紙上に左右横並びに配置して印刷するいわゆる２連印刷を行うことにより、印刷頁枚数を半減させることができるとともに、印刷装置をより処理速度が速い印刷装置と同等に機能させることができる（例えば、特許文献１参照）。
【０００３】
また、印刷処理に関する指示内容が記述された印刷指示書（電子データ）を印刷データとセットで印刷装置に送信する一方、印刷装置では当該印刷指示書に記述された指示内容にしたがって印刷処理を実行する技術も知られている（例えば、特許文献２参照）。
【０００４】
【特許文献１】特開平１１−２１２７５０号公報
【特許文献２】特開２００４−２５２５０５号公報
【発明の開示】
【発明が解決しようとする課題】
【０００５】
このように、印刷装置が印刷指示書に記述された指示内容にしたがって印刷処理を実行する印刷処理システムでは、印刷装置だけでなく、裁断装置等の後処理装置についても、印刷指示書に記述された後処理の指示内容を解釈し、実行するようにすることが可能になるため、裁断装置と印刷装置とを組み合わせてジョブを印刷から裁断までの一連の処理として自動処理することができることとなる。
【０００６】
本発明は、１枚の用紙に複数頁分の印刷画像を並べて印刷し、印刷後の用紙を裁断するに当たって、少ない頁数で無駄のない印刷処理を実現可能な印刷処理システムおよび印刷処理プログラムを提供することを目的とする。
【課題を解決するための手段】
【０００７】
請求項１記載の印刷処理システムは、印刷装置と、前記印刷装置によって印刷された用紙を裁断する裁断装置と、入力される複数頁の文書データに基づく印刷画像を当該印刷画像のサイズよりも大きいサイズの用紙に配置して印刷すべく前記印刷装置を制御するとともに、当該印刷装置によって印刷された用紙を前記印刷画像の配置に応じて裁断すべく前記裁断装置を制御する制御装置とを備えることを特徴としている。
【０００８】
請求項２記載の印刷処理システムは、請求項１記載の印刷処理システムにおいて、前記制御装置が、一定期間内に入力される複数頁の文書データに基づく印刷画像に対して制御を行うことを特徴としている。
【０００９】
請求項３記載の印刷処理システムは、請求項１記載の印刷処理システムにおいて、前記制御装置が、白黒の印刷画像とカラーの印刷画像とを１枚の用紙に混在させない制御を行うことを特徴としている。
【００１０】
請求項４記載の印刷処理システムは、請求項１記載の印刷処理システムにおいて、前記制御装置が、前記裁断装置に対する制御内容を当該裁断装置の作業者に対して出力することを特徴としている。
【００１１】
請求項５記載の印刷処理プログラムは、入力される複数頁の文書データに基づく印刷画像を当該印刷画像のサイズよりも大きいサイズの用紙に配置して印刷すべく印刷装置を制御する第１制御ステップと、前記印刷装置によって印刷された用紙を前記印刷画像の配置に応じて裁断すべく裁断装置を制御する第２制御ステップと
の各処理をコンピュータに実行させることを特徴としている。
【発明の効果】
【００１２】
請求項１記載の印刷処理システムによれば、１枚の用紙に複数頁分の印刷画像を並べて印刷し、印刷後の用紙を裁断するに当たって、少ない頁数で無駄のない印刷処理を実現できる。
【００１３】
請求項２記載の印刷処理システムによれば、当初１枚の用紙全面に亘って印刷画像を配置できるだけの文書データが揃っていない場合に、他の文書データが入力されるのを一定期間待つことで、１枚の用紙全面に亘って印刷画像を配置できることになるため、裁断後の印刷画像１枚当たりの印刷コストを低減できる。
【００１４】
請求項３記載の印刷処理システムによれば、白黒の印刷画像とカラーの印刷画像とを１枚の用紙に混在させた場合には白黒の印刷画像についてもカラーの印刷コストになるのに対して、混在させない場合には白黒の印刷画像は白黒の印刷コストとなり、しかも少ない頁数で無駄のない印刷処理の実現によって白黒の印刷コストを低減できる。
【００１５】
請求項４記載の印刷処理システムによれば、制御装置による制御の下に裁断を行わない構成を採った場合であっても、裁断装置の作業者は、制御装置による制御の下に裁断を行う構成を採った場合と同様に、印刷画像の配置に応じて用紙を裁断することができる。
【００１６】
請求項５記載の印刷処理プログラムによれば、１枚の用紙に複数頁分の印刷画像を並べて印刷し、印刷後の用紙を裁断するに当たって、少ない頁数で無駄のない印刷処理を実現できる。
【発明を実施するための最良の形態】
【００１７】
以下、本発明の実施の形態について図面を参照して詳細に説明する。
【００１８】
図１は、本発明の一実施形態に係る印刷処理システムの構成の一例を示すブロック図である。
【００１９】
図１に示すように、本実施形態に係る印刷処理システムは、制御装置１１、記憶装置１２、印刷装置１３および裁断装置１４を具備し、これらの装置１１〜１４が例えばＬＡＮ(Local Area Network)１５を介して相互に通信可能に接続され、さらにＬＡＮ１５がインターネット（または、イントラネット）１６に接続された構成となっている。
【００２０】
制御装置１１は、例えばパーソナルコンピュータ等のコンピュータ装置によって構成され、本印刷処理システム全体の制御を行う。図２に、制御装置１１の基本構成を示す。図２に示すように、コンピュータからなる制御装置１１は、ＣＰＵ(Central Processing Unit:中央演算装置)１１１、Ｉ／Ｏ回路１１２、ＲＯＭ１１３、ＲＡＭ１１４およびＨＤＤ（ハードディスクドライブ）装置１１５などを有し、これら構成要素がバスライン１１６を介して接続された構成となっている。
【００２１】
ＣＰＵ１１１は、制御装置１１が実行する処理の制御を行う。Ｉ／Ｏ回路１１２は、周辺機器、具体的には記憶装置１２、印刷装置１３および裁断装置１４との入出力を管理する。ＲＯＭ１１３は、ＣＰＵ１１１による制御の下に実行される各種処理の処理プログラムを格納する。ＲＡＭ１１４は、各種処理の実行時に使用される一次記憶装置である。ＨＤＤ１１５は、ＣＰＵ１１１による制御の下に処理された印刷データなどを記憶する。
【００２２】
図１に説明を戻す。記憶装置１２は、制御装置１１による制御の下に、印刷装置１３で印刷する目的でインターネット１６を介して入力される文書データを記憶する。なお、ここでは、印刷装置１３で印刷する文書データを、インターネット１６を介して取り込む構成を前提としているが、これは一例に過ぎず、ＣＤ−ＲＯＭ等の記録媒体に記録された文書データを、コンピュータからなる制御装置１１を介して取り込む構成を採ることも可能である。
【００２３】
印刷装置１３は、制御装置１１による制御の下に、記憶装置１４に記憶されている文書データを当該文書データに基づく印刷画像のサイズの用紙に印刷するとともに、必要に応じて、１枚の用紙に複数頁分の印刷画像を所定の配置で並べて印刷して出力する。この印刷装置１３としては、プリンタ、連帳紙を用いて印刷を行う連帳機、印刷機能を備えたいわゆる複合機と称される画像形成装置などが考えられる。
【００２４】
裁断装置１４は、制御装置１１による制御の下に、印刷装置１３によって印刷出力された用紙を印刷画像単位で裁断して出力する。すなわち、裁断装置１４は、印刷装置１３の後処理装置としての機能を持つことから、一般的には、印刷装置１３に隣接するように配置される。
【００２５】
ここでは、一例として、ＬＡＮ１５を介して制御装置１１、記憶装置１２、印刷装置１３および裁断装置１４を相互に接続するとしたが、その接続の形態としては、ＬＡＮ１５を介して接続する形態以外に、相互に直結する形態など、種々の接続形態を採ることができる。
【００２６】
また、印刷装置１３と裁断装置１４とをＬＡＮ１５を介して接続する構成を採っているが、裁断装置１４は印刷装置１３の後処理装置として機能するものであることから、印刷装置１３に対して裁断装置１４を直結し、印刷装置１３を介して制御装置１１によって裁断装置１４を制御する構成を採ることも可能である。
【００２７】
上記構成の本実施形態に係る印刷処理システムにおいては、制御装置１１による制御の下に、具体的にはＣＰＵ１１１（図２参照）による制御の下に、１枚の用紙に複数頁分の印刷画像を並べて印刷し、印刷後の用紙を裁断するための処理が実行される。この処理の一例について以下に説明する。
【００２８】
図３は、１枚の用紙に複数頁分の印刷画像を並べて印刷し、印刷後の用紙を裁断するに当たって、制御装置１１のＣＰＵ１１１による制御の下に実行される処理手順の一例を示すフローチャートである。
【００２９】
ここでは、一例として、文書データに基づく印刷画像のサイズがＡ６で、この印刷画像をＡ３サイズの用紙に８画像分並べて印刷し、その印刷後の用紙を印刷画像の配置に応じて裁断する場合を例に挙げて説明するものとする。
【００３０】
システム外部から例えばインターネット１６を介して印刷すべき文書データ（印刷データ）がその印刷条件、例えば印刷画像サイズ、カラー／白黒、片面印刷／両面印刷等の印刷条件と共にジョブとして入力されると、ＣＰＵ１１１は、当該ジョブの入力をもって印刷指示有りと判断し（ステップＳ１１）、文書データと共に入力された印刷条件を把握し（ステップＳ１２）、次いで、入力されたジョブを記憶装置１２に蓄積する（ステップＳ１３）。
【００３１】
次に、ＣＰＵ１１１は、ステップＳ１２で把握した印刷条件のうち、文書データの印刷画像サイズ（ジョブの用紙サイズ）に基づいて印刷装置１３で印刷出力する用紙のサイズを決定する（ステップＳ１４）。印刷する用紙サイズとしては、基本的に、文書データの印刷画像サイズの偶数倍のサイズを設定することになる。本例では、文書データの印刷画像サイズがＡ６であり、その整数倍のＡ３サイズが設定されることになる。
【００３２】
次に、ＣＰＵ１１１は、記憶装置１２に蓄積したジョブに８頁分の文書データが有るか否かを判断し（ステップＳ１５）、８頁分の文書データが無ければ、今回印刷対象のジョブが入力されてから一定期間が経過したか否かを判断する（ステップＳ１６）。そして、一定期間が経過していなければステップＳ１５に戻り、一定期間が経過するまでの間、文書データが８頁分揃うまで待機する。この待機する一定期間内において、次の印刷対象のジョブが入力され、記憶装置１２に蓄積されることで、文書データが８頁分揃う可能性がある。
【００３３】
ＣＰＵ１１１は、ステップＳ１５で８頁分の文書データが揃ったと判断した場合、またはステップＳ１６で一定期間が経過したと判断した場合は、図４に示すように、当該８頁分の文書データに基づく８枚の印刷画像をＡ３サイズの用紙に４個ずつ２段に並べて配置して印刷するための印刷装置１３に対する指示内容を記述した印刷指示書を作成する（ステップＳ１７）。印刷指示書は電子データである。
【００３４】
次に、ＣＰＵ１１１は、印刷装置１３によって印刷出力される用紙を、８枚の印刷画像に対応した８枚のＡ６サイズの用紙に裁断するための裁断装置１４に対する指示内容を記述した作業指示書を作成する（ステップＳ１８）。作業指示書は電子データである。ここで、作業指示書に記述される指示内容は、例えば図４において、Ａ３サイズの用紙の左上隅を基準点Ｏとしたときに、用紙の短手方向（Ｙ方向）の中間の裁断位置および長手方向（Ｘ方向）において４等分した各裁断位置の座標などである。
【００３５】
ＣＰＵ１１１は、作業指示書を作成し、作業指示書を作成したら、印刷対象のジョブ内にさらに文書データが存在するか否かを判断し（ステップＳ１９）、さらに文書データが存在するのであれば、ステップＳ１５に戻ってステップＳ１５〜ステップＳ１８までの処理を、ステップＳ１９で印刷対象のジョブ内にさらに文書データが存在しないと判断するまで繰り返して実行する。
【００３６】
そして、印刷対象のジョブ内にさらに文書データが存在しないと判断したら、ＣＰＵ１１１は、印刷対象の文書データをステップＳ１７で作成した印刷指示書と共に印刷装置１４に送信するとともに、ステップＳ１８で作成した作業指示書を裁断装置１４に送信する（ステップＳ２０）。以上により、ＣＰＵ１１１による制御の下に実行され、１枚の用紙に複数頁分の印刷画像を並べて印刷し、印刷後の用紙を裁断するための一連の処理が終了する。
【００３７】
なお、本実施形態では、制御装置１１で作成した作業指示書を裁断装置１４に送信し、裁断装置１４が作業指示書に記述された指示内容にしたがって自動的に裁断を行うとしたが、裁断装置１４をＬＡＮ１５に接続せずに、作業者が裁断装置１４の制御を行う構成を採る場合は、作業指示書を印刷装置１３で用紙に印刷して出力したり、作業者がＬＡＮ１５に接続したパーソナルコンピュータの表示画面に作業指示書を表示出力したりすることで、裁断装置１４に対する制御内容を当該裁断装置１４の作業者に対して出力するようにすれば良い。裁断装置１４の作業者は、印刷出力または表示出力された作業指示書を見て裁断装置１４の制御を行うことになる。
【００３８】
図３の一連の処理シーケンスにおける処理手順によって印刷指示書および作業指示書を作成して印刷装置１３および裁断装置１４を制御する制御ステップ、即ち入力される複数頁の文書データに基づく印刷画像を当該当該印刷画像のサイズよりも大きいサイズの用紙に配置して印刷すべく印刷装置１３を制御する制御ステップと、印刷装置１３によって印刷された用紙を印刷画像の配置に応じて裁断すべく裁断装置１４を制御する制御ステップの各処理を、制御装置１１のコンピュータに実行させるプログラムが本実施形態に係る印刷処理プログラムである。
【００３９】
そして、本実施形態に係る印刷処理プログラムについては、あらかじめ制御装置１１のコンピュータにインストールしておくことが考えられる。ただし、あらかじめ制御装置１１のコンピュータにインストールすることに限定されるものではなく、有線若しくは無線による通信手段により提供（配信）することはもちろん、コンピュータ読み取り可能なＣＤ−ＲＯＭ等の記憶媒体に格納して提供することも可能である。
【００４０】
このようにして、制御装置１１の制御の下に作成された印刷指示書が文書データとセットで制御装置１１から印刷装置１３に送信されると、印刷装置１４は、印刷指示書に記述された指示内容で指定されたサイズの用紙を給紙し、当該用紙上に指示内容で指定された配置で文書データに基づく画像を印刷して出力する。印刷装置１４から出力された用紙は後処理装置である裁断装置１４に供給される。すると、裁断装置１４は、制御装置１１から送られた作業指示書に記述された指示内容にしたがって用紙を裁断する。
【００４１】
以上説明した本実施形態に係る印刷処理システムは、例えば、コピー店等において、印刷コストの低減を図るためのシステムとして用いて好適なものである。ここで、印刷装置１３に対する印刷指示書を作成する際のコスト最小化のための具体的な実施アルゴリズムについて、単一ジョブで用紙数を最小化するためのアルゴリズムと、複数ジョブで用紙数を最小化するためのアルゴリズムとを例に挙げて説明する。これらのアルゴリズムの処理も、制御装置１１のＣＰＵ１１１による制御の下に、印刷指示書を作成するための処理として実行される。
【００４２】
（実施例１）
図５は、単一ジョブで用紙数を最小化するためのアルゴリズムの一例を示すフローチャートである。ここでは、ジョブのコピー部数Ｃが２以上であって、印刷装置１３で利用可能な最大用紙サイズの半分以下のサイズのジョブを自動的に最大用紙サイズでＮ枚の面付けを行って印刷出力する場合を例に挙げて説明する。ここで、「面付け」とは、印刷や製本を効率良く行うための作業で、折りごとに各ページがページ順に正しく並ぶように規則的に配列することを言う。
【００４３】
先ず、図３のステップＳ１２で把握した印刷条件からジョブの用紙サイズを取得し（ステップＳ２１）、次いで、印刷装置１３で利用可能な最大用紙サイズから面付けの枚数Ｎを決定する（ステップＳ２２）。一例として、印刷装置１３で利用可能な最大用紙サイズがＡ３サイズの場合、Ａ４サイズのジョブなら２面（Ｎ＝２）、Ａ５サイズのジョブなら４面（Ｎ＝４）、Ａ６サイズのジョブなら８面（Ｎ＝８）となる。
【００４４】
次に、ジョブのコピー部数Ｃが面付け枚数Ｎ以上であるか否かを判断し（ステップＳ２３）、コピー部数Ｃが面付け枚数Ｎよりも小さい場合は、そのまま面付けしないでそのままのサイズで出力するか、後述する他のアルゴリズムが適用可能かを検証し（ステップＳ２４）、しかる後、ジョブを出力するキュー（ｑｕｅｕｅ；待ち行列）におく（ステップＳ２５）。面付けしないでそのままのサイズで出力するか、他のアルゴリズムが適用可能かの判断は、ジョブの出力納期を基に自動的に行うようにしても良い。
【００４５】
ジョブのコピー部数Ｃが面付けの枚数Ｎ以上であれば、ジョブのコピー部数Ｃを面付け枚数Ｎの倍数分ａとその余りｂとに分解（Ｃ＝ａ×Ｎ＋ｂ）する（ステップＳ２６）。次に、最大用紙サイズをａ枚印刷出力し、ジョブの用紙サイズでｂ枚印刷出力する場合のコストＰ１と、ジョブの用紙サイズでＣ枚印刷出力する場合のコストＰ２とを算出し（ステップＳ２７）、次いで、両コストＰ１，Ｐ２を比較し（ステップＳ２８）、コストＰ１がコストＰ２よりも安い（Ｐ１＜Ｐ２）場合は、最大用紙サイズをａ枚印刷出力し、ジョブの用紙サイズでｂ枚印刷出力する旨の指示内容を記述した印刷指示書１を作成し（ステップＳ２９）、Ｐ１≧Ｐ２の場合は、ジョブの用紙サイズでＣ枚印刷出力する旨の指示内容を記述した印刷指示書２を作成する（ステップＳ３０）。
【００４６】
なお、余りｂが存在する場合、余りｂ分を出力するジョブを分割し、後述する他のアルゴリズムが適用可能か検証した後、出力するキューにおくようにしても良い。また、その判断については、ジョブの出力納期を基に自動的に行うようにしても良い。
【００４７】
ここで、具体例を挙げて印刷コストを考える。なお、理解を容易にするため、Ａ４サイズからＡ６サイズのコピー代を１枚１０円、Ａ３サイズ以上のコピー代を２０円と仮定する。一例として、Ｃ＝５，Ｎ＝４の場合、（Ｃ＝５）＝（ａ＝１）×（Ｎ＝４）＋（ｂ＝１）となる。すなわち、Ａ３サイズの用紙１枚、Ａ５サイズの用紙１枚の出力となり、コピー代は計３０円となる。したがって、Ａ５サイズ５枚に出力する場合のコピー代５０円よりも安くなるため、Ｃ＝５，Ｎ＝４の場合は、面付けして印刷するようにする。
【００４８】
（実施例２）
実施例２として、複数ジョブで用紙数を最小化するためのアルゴリズムについて説明する。本アルゴリズムでは、印刷装置１３で利用可能な最大用紙サイズを、異なる用紙サイズに裁断するいくつかの組み合わせを既定しておくものとする。そして、いくつかの組み合わせに適合するジョブをそれぞれの面に割り当て、条件が揃った場合（面が埋まった場合）、その組み合わせで印刷出力するようにする。
【００４９】
例えば、Ａ６（または、それに近いはがき）サイズのジョブ、封筒サイズのジョブおよびレターサイズのジョブがそのシステムで使用頻度が高い場合、これらのサイズを要求する別ジョブをキューの中から探し出し、図６（Ａ）に示すように、レターサイズのジョブと、はがきサイズのジョブと、Ａ６サイズのジョブとの組み合わせ、図６（Ｂ）に示すように、レターサイズのジョブと、封筒サイズのジョブとの組み合わせ、という具合に、１つの頁（１枚の用紙）に自動合成する。この複数ジョブの合成アルゴリズムを使えば、例えば、最大用紙サイズがＡ３（２９７×４１０）で、レターサイズ（２１５．９×２７９．４）を２面付けすることによって用紙数の低減が図れる。
【００５０】
また、印刷装置１３のキューにＡ６サイズで、５頁分のジョブがあるときに、Ａ５サイズ１枚のジョブを印刷する場合は、図７に示すように、Ａ６サイズで、５頁分のジョブをＡ３サイズの用紙に自動面付け（割り付け）し、次に残った領域にＡ５サイズ１枚のジョブを自動割面付けする。
【００５１】
ここで、Ａ６サイズ５頁分のジョブとＡ５サイズ１枚のジョブとをそれぞれ対応するサイズの用紙で印刷出力した場合のコピー代が計６０円となる。これに対して、図７に示すように、Ａ３サイズの用紙に面付けすることで、Ａ３サイズの用紙１枚のコピーとなるため、コピー代が２０円となる。
【００５２】
なお、ここまでは、片面に対する面付けを行う場合を例に挙げたが、両面に対して面付けを行うことも可能である。例えば、図８に示すように、Ａ４サイズでＮ頁のジョブをＡ３サイズの用紙に２面付けして印刷出力する。裁断装置１４では、Ａ３サイズの用紙を判断に裁断して積み重ねる処理が行われる。この場合、図を記載してバナー印刷とすると良い。印刷コストについては、Ａ３サイズのコピー代がＡ４サイズのコピー代の２倍であるが、両面の面付けによってＡ４サイズの用紙をＮ枚出力する場合の１／２となる。
【００５３】
また、例えば図９に示すように、Ａ４サイズのジョブをＡ３サイズの用紙に自動面付け（両面面付けを含む）場合であって、白黒のジョブの中にカラーのジョブが混在するときには、Ａ４白黒の単価とＡ３カラーの単価とを比較し、単価の安い方で印刷するようにする。一般的には、Ａ４白黒の単価の方がＡ３カラーの単価よりも安い訳であるから、白黒の印刷画像とカラーの印刷画像とを１枚の用紙（本例では、Ａ３サイズの用紙）に混在させずに、Ａ４サイズの用紙に片面、または両面印刷するように制御を行う。このとき、カラーのジョブについては、Ａ３サイズの用紙に自動面付け（両面面付けを含む）にて印刷するように制御を行う。
【図面の簡単な説明】
【００５４】
【図１】本発明の一実施形態に係る印刷処理システムの構成の一例を示すブロック図である。
【図２】制御装置の基本構成を示すブロック図である。
【図３】１枚の用紙に複数頁分の印刷画像を並べて印刷し、印刷後の用紙を裁断するに当たっての制御の一例を示すフローチャートである。
【図４】Ａ６サイズの印刷画像をＡ３サイズの用紙に配置する例の説明図である。
【図５】単一ジョブで用紙数を最小化するためのアルゴリズムの一例を示すフローチャートである。
【図６】複数ジョブで用紙数を最小化するためのアルゴリズムについての説明図である。
【図７】キューにＡ６サイズで、５頁分のジョブがあるときに、Ａ５サイズ１枚のジョブを印刷する場合の説明図である。
【図８】両面に対して面付けを行う場合の説明図である。
【図９】白黒のジョブの中にカラーのジョブが混在する場合の説明図である。
【符号の説明】
【００５５】
１１…制御装置、１２…記憶装置、１３…印刷装置、１４…裁断装置、１５…ＬＡＮ、１６…インターネット、１１１…ＣＰＵ、１１２…Ｉ／Ｏ回路、１１３…ＲＯＭ、１１４…ＲＡＭ、１１５…ＨＤＤ（ハードディスクドライブ）装置、１１６…バスライン
【図１】
2008046936.tif 000003
【図２】
2008046936.tif 000004
【図３】
2008046936.tif 000005
【図４】
2008046936.tif 000006
【図５】
2008046936.tif 000007
【図６】
2008046936.tif 000008
【図７】
2008046936.tif 000009
【図８】
2008046936.tif 000010
【図９】
2008046936.tif 000011